【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
モータと、前記モータにより回転駆動される装置本体側ギアであって、その回転中心軸線上にねじれた表面によって郭された連結穴とこの連結穴の内部に設けられたアース接点とを有する装置本体側ギアを備えた電子写真画像形成装置本体に着脱可能なプロセスカートリッジであって、
電子写真感光体ドラムと、
前記電子写真感光体ドラムに作用するプロセス手段と、
前記電子写真感光体ドラムの長手方向の端部に設けられ、ねじれた表面を有する連結突起であって、前記連結穴に嵌合されて前記ギアと係合する連結突起と、
プロセスカートリッジが装置本体に装着された際に前記電子写真感光体ドラムのアースを行うために、前記電子写真感光体ドラムと電気的に接続されたカートリッジアース接点であって、前記本体アース接点と電気的に接続するように前記連結突起に設けられたカートリッジアース接点と、
を有し、
前記装置本体に装着されたプロセスカートリッジの有する前記電子写真感光体ドラムは、前記連結穴と嵌合した前記連結突起を介して前記モータからの回転駆動を受ける、また、前記電子写真感光体ドラムは、前記連結穴の内部に設けられたアース接点と係合した前記連結突起の電気接点を介して電気的にアースされることを特徴とするプロセスカートリッジ。
【請求項２】
前記カートリッジアース接点は、前記突起の先端面よりも内側に位置している請求項１に記載のプロセスカートリッジ。
【請求項３】
前記カートリッジアース接点は、前記突起の軸線と同軸線上に位置している請求項１に記載のプロセスカートリッジ。
【請求項４】
前記突起は、前記電子写真感光体ドラムの一端に取り付けられたカップリング部材の一側端に設けられている請求項３に記載のプロセスカートリッジ。
【請求項５】
前記カップリング部材は、カートリッジフレームに回転可能に支持される軸部と、現像ローラへ回転駆動力を伝達するためのギア部と、前記電子写真感光体ドラムと嵌合する嵌合部と、を有する、ここで前記突起は前記軸部の側端に設けられている、また前記カートリッジアース接点は、前記カップリング部材の軸線と同軸線上に位置しており、前記カップリング部材の内部を軸線方向に沿って通過している導電部材の先端面である請求項４に記載のプロセスカートリッジ。
【請求項６】
前記カップリング部材の前記電子写真感光体ドラムの内側に位置する部分にはアース板が取り付けられている、ここで前記アース板は前記導電部材が貫通するための穴と、前記導電部材と接触する第一の接触部と、前記電子写真感光体ドラムの有する筒の内面と接触する第二の接触部と、を有する請求項５に記載のプロセスカートリッジ。
【請求項７】
前記突起はねじれた多角柱である請求項１または６に記載のプロセスカートリッジ。
【請求項８】
前記多角柱は略三角柱である請求項７に記載のプロセスカートリッジ。
【請求項９】
モータと、前記モータにより回転駆動される装置本体側ギアであって、その回転中心軸線上にねじれた表面によって郭された連結穴とこの連結穴の内部に設けられたアース接点とを有する装置本体側ギアを備えた電子写真画像形成装置本体に着脱可能なプロセスカートリッジであって、
（ａ）電子写真感光体ドラムと、
（ｂ）前記電子写真感光体ドラムに作用するプロセス手段と、
（ｃ）前記電子写真感光体ドラムの長手方向の端部に設けられ、ねじれた表面を有するねじれた連結突起であって、前記連結穴に嵌合されて前記ギアと係合する連結突起と、
（ｄ）前記電子写真感光体ドラムの一端に取り付けられたカップリング部材と、ここで前記カップリング部材は、カートリッジフレームに回転可能に支持される軸部と、現像ローラへ回転駆動力を伝達するためのギア部と、前記電子写真感光体ドラムと嵌合する嵌合部と、を有する、そして前記突起は前記軸部の側端に設けられている、
（ｅ）前記カップリング部材の軸線と同軸線上に位置しており、前記カップリング部材の内部を軸線方向に沿って通過している導電部材と、
（ｆ）前記カップリング部材の前記電子写真感光体ドラムの内側に位置する部分に取り付けられているアース部材と、ここで前記アース部材は前記導電部材が貫通するための穴と、前記導電部材と接触する第一の接触部と、前記電子写真感光体ドラムの有する筒の内面と接触する第二の接触部と、を有する、
（ｇ）プロセスカートリッジが装置本体に装着された際に前記電子写真感光体ドラムのアースを行うために、前記電子写真感光体ドラムと電気的に接続されたカートリッジアース接点であって、前記本体アース接点と電気的に接続するように前記突起に設けられたカートリッジアース接点と、ここで前記カートリッジアース接点は前記導電部材の先端面であって、前記突起の先端面よりも内側に位置していることを特徴とするプロセスカートリッジ。
【請求項１０】
前記突起はねじれた多角柱である請求項９に記載のプロセスカートリッジ。
【請求項１１】
前記多角柱は略三角柱である請求項１０に記載のプロセスカートリッジ。
【請求項１２】
前記プロセス手段は、少なくとも、前記電子写真感光体ドラムに帯電を行う帯電部材、前記電子写真感光体ドラムに形成された潜像を現像するための現像部材、前記電子写真感光体ドラムに残留するトナーを除去するクリーニング部材のいずれか１つである請求項９に記載のプロセスカートリッジ。
【請求項１３】
モータと、前記モータからの駆動力を受けるための駆動回転体と、前記駆動回転体の回転中心軸と略同軸のねじれた非円形断面の穴または突起と、前記穴または突起に設けられた本体アース接点とを有して、記録媒体に画像を形成する電子写真画像形成装置の装置本体に着脱可能なプロセスカートリッジであって、
回転可能な電子写真感光体と、
前記電子写真感光体に作用するプロセス手段と、
前記電子写真感光体の長手方向一端にその回転中心軸と同軸に設けられた、前記非円形の穴または突起と嵌合可能なねじれた非円形断面の突起または穴と、
を有して、
前記電子写真感光体ドラムの突起または穴は、前記駆動回転体と相対回転可能な第一の回転方向相対位置と、前記両回転中心軸から略同軸状態で一方向の相対回転不能な第二の回転方向相対位置をとり得る形状および寸法を有し、
プロセスカートリッジが装置本体に装着された際に前記電子写真感光体ドラムのアースを行うために、電子写真感光体ドラムと電気的に接続されたカートリッジアース接点であって、前記本体アース接点と電気的に接続するように前記突起または穴に設けられたカートリッジアース接点と、
を有することを特徴とするプロセスカートリッジ。
【請求項１４】
前記回転体の穴または突起および前記電子写真感光体ドラムの突起または穴は３本のねじれた線で接触する請求項１３に記載のプロセスカートリッジ。
【請求項１５】
前記穴または突起は断面がほぼ正三角形である請求項１４に記載のプロセスカートリッジ。
【請求項１６】
前記突起または穴は前記電子写真感光体の一端に取り付けられたカップリング部材の一側端に設けられている請求項１３に記載のプロセスカートリッジ。
【請求項１７】
前記カップリング部材は、カートリッジフレームに回転可能に支持される軸部と、現像ローラへ回転駆動力を伝達するためのギア部と、前記電子写真感光体ドラムと嵌合する嵌合部と、を有する、ここで前記突起または穴は前記軸部の側端に設けられている、また前記カートリッジアース接点は、前記カップリング部材の軸線と同軸線上に位置しており、前記カップリング部材の内部を軸線方向に沿って通過している導電部材の先端面である請求項１６に記載のプロセスカートリッジ。
【請求項１８】
前記カップリング部材の前記電子写真感光体の内側に位置する部分にはアース板が取り付けられている、ここで前記アース板は前記導電部材が貫通するための穴と、前記導電部材と接触する第一の接触部と、前記電子写真感光体の有する筒の内面と接触する第二の接触部と、を有する請求項１７に記載のプロセスカートリッジ。
【請求項１９】
前記突起はねじれた多角柱である請求項１３または１８に記載のプロセスカートリッジ。
【請求項２０】
前記多角柱は略三角柱である請求項１９に記載のプロセスカートリッジ。
【請求項２１】
プロセスカートリッジを着脱可能で、記録媒体に画像を形成するための電子写真画像形成装置において、
（ａ）モータと、
（ｂ）前記モータから駆動力を受ける装置本体側のギアと、
（ｃ）前記ギアとほぼ同軸心であって、ねじれた表面によって郭された穴と、
（ｄ）前記穴の内部に設けられた本体アース接点と、
（ｅ）電子写真感光体ドラムと、
前記電子写真感光体ドラムに作用するプロセス手段と、
前記電子写真感光体ドラムの長手方向の端部に設けられ、ねじれた表面を有する連結突起であって、前記連結穴に嵌合されて前記ギアと係合する連結突起と、
プロセスカートリッジが装置本体に装着された際に前記電子写真感光体ドラムのアースを行うために、前記電子写真感光体ドラムと電気的に接続されたカートリッジアース接点であって、前記本体アース接点と電気的に接続するように前記連結突起に設けられたカートリッジアース接点と、
を有するプロセスカートリッジを取り外し可能に装着するための装着部材と、  を有することを特徴とする電子写真画像形成装置。
【請求項２２】
プロセスカートリッジを着脱可能で、記録媒体に画像を形成するための電子写真画像形成装置において、
（ａ）モータと、
（ｂ）前記モータから駆動力を受ける装置本体側のギアと、
（ｃ  前記ギアとほぼ同軸心であって、ねじれた表面によって郭された穴と、
（ｄ）前記穴の内部に設けられた本体アース接点と、
（ｅ−１）電子写真感光体ドラムと、
（ｅ−２）前記電子写真感光体ドラムに作用するプロセス手段と、
（ｅ−３）前記電子写真感光体ドラムの長手方向の端部に設けられ、ねじれた表面を有するねじれた連結突起であって、前記連結穴に嵌合されて前記ギアと係合する連結突起と、
（ｅ−４）前記電子写真感光体ドラムの一端に取り付けられたカップリング部材と、ここで前記カップリング部材は、カートリッジフレームに回転可能に支持される軸部と、現像ローラへ回転駆動力を伝達するためのギア部と、前記電子写真感光体ドラムと嵌合する嵌合部と、を有する、そして前記突起は前記軸部の側端に設けられている、
（ｅ−５）前記カップリング部材の軸線と同軸線上に位置しており、前記カップリング部材の内部を軸線方向に沿って通過している導電部材と、
（ｅ−６）前記カップリング部材の前記電子写真感光体ドラムの内側に位置する部分に取り付けられているアース部材と、ここで前記アース部材は前記導電部材が貫通するための穴と、前記導電部材と接触する第一の接触部と、前記電子写真感光体ドラムの有する筒の内面と接触する第二の接触部と、を有する、
（ｅ−７）プロセスカートリッジが装置本体に装着された際に前記電子写真感光体ドラムのアースを行うために、前記電子写真感光体ドラムと電気的に接続されたカートリッジアース接点であって、前記本体アース接点と電気的に接続するように前記突起に設けられたカートリッジアース接点と、ここで前記カートリッジアース接点は前記導電部材の先端面であって、前記突起の先端面よりも内側に位置しているプロセスカートリッジ
を取り外し可能に装着するための装着部材と、
を有することを特徴とする電子写真画像形成装置。
【請求項２３】
モータと、前記モータにより回転駆動される装置本体側ギアであって、その回転中心軸線上にねじれた表面によって郭された連結穴とこの連結穴の内部に設けられたアース接点とを有する装置本体側ギアを備えた電子写真画像形成装置本体に着脱可能なプロセスカートリッジであって、
電子写真感光体ドラムと、
前記電子写真感光体ドラムに作用するプロセス手段と、
前記電子写真感光体ドラムの長手方向の端部に設けられ、ねじれた表面を有する連結突起であって、前記連結穴に嵌合されて前記ギアと係合する連結突起と、を有し、
ここで前記突起は、プロセスカートリッジが装置本体に装着された際に前記電子写真感光体ドラムのアースを行うために、前記電子写真感光体ドラムと電気的に接続するように、また、前記本体アース接点と電気的に接続するように導電性材質で形成されている電子写真画像形成装置。
【請求項２４】
モータと、前記モータにより回転駆動される装置本体側ギアであって、その回転中心軸線上にねじれた表面によって郭された連結穴とこの連結穴の内部に設けられたアース接点とを有する装置本体側ギアを備えた電子写真画像形成装置本体に着脱可能なプロセスカートリッジであって、
電子写真感光体ドラムと、
前記電子写真感光体ドラムに作用するプロセス手段と、
前記電子写真感光体ドラムの長手方向の端部に設けられ、ねじれた表面を有するねじれた連結突起であって、前記連結穴に嵌合されて前記ギアと係合する連結突起と、を有し、
ここで前記突起は、プロセスカートリッジが装置本体に装着された際に、前記電子写真感光体ドラムのアースを行うために、前記電子写真感光体ドラムと電気的に接続にするように、また、前記本体アース接点と電気的に接続するように導電性材質で形成されているプロセスカートリッジ。
【請求項２５】
前記突起は、前記電子写真感光体ドラムの一端に取り付けられたカップリング部材の一側端に設けられている、ここで前記カップリング部材は、カートリッジフレームに回転可能に支持される円形部と、現像ローラへ回転駆動力を伝達するためのギア部と、前記電子写真感光体ドラムと嵌合する嵌合部と、を有する、ここで前記突起は前記円形部の側端に設けられている請求項２３または２４に記載のプロセスカートリッジ。
【請求項２６】
前記カップリング部材は、前記突起とともに導電性材質で形成されている請求項２５に記載のプロセスカートリッジ。
【請求項２７】
前記カップリング部材は、前記突起と前記電子写真感光体ドラムとを接続する経路を導電部材で成形し、また、前記ギア部を耐摩耗材質で成形している請求項２５に記載のプロセスカートリッジ。
【請求項２８】
電子写真感光体ドラムと前記電子写真感光体ドラムに作用するプロセス手段とを有するプロセスカートリッジであって、電子写真画像形成装置本体に着脱可能なプロセスカートリッジに用いられる電子写真感光体ドラムにおいて、
ここで電子写真画像形成装置は記録媒体に画像を形成するものであって、モータと、前記モータから回転力を受ける装置本体側ギアと、前記ギアのほぼ中心に形成されたねじれた多角形断面の穴とを有する、
周面に感光層を有する円筒部材と、
前記円筒部材の長手方向の一端側に設けられた動力伝達部材と、を有し、
前記動力伝達部材は、
プロセスカートリッジが装置本体へ装着された際、装置本体から現像ローラへ駆動力を伝えるためのドラムギアと、
前記ドラムギアの端部に一体に設けられて突出する軸と、
前記軸端に設けられたねじれた突起と、
ここで、前記穴と、突起が嵌合することによって装置本体から駆動力が前記突起に伝えられて軸を介して電子写真感光体ドラムに伝えられ、前記ドラムギアによって現像ローラが駆動される、
前記電子写真感光体ドラムのアースを行うために、前記電子写真感光体ドラムと電気的に接続されたカートリッジアース接点であって、本体アース接点と電気的に接続するように前記突起に設けられたカートリッジアース接点と、
を有する電子写真感光体ドラム。
【請求項２９】
前記突起は三角柱であって、前記電子写真感光体ドラムの外径をＨ、前記軸の外径をＦ、前記突起の外接円をＭとすると、
Ｈ  ＞  Ｆ  ≧  Ｍ
である請求項２８に記載の電子写真感光体ドラム。
【請求項３０】
前記ギアははすばギアであって、前記突起、ギア、軸は樹脂材料で作られている請求項２８に記載の電子写真感光体ドラム。
【請求項３１】
前記カートリッジアース接点は、前記突起の先端面よりも内側に位置している請求項２８に記載の電子写真感光体ドラム。
【請求項３２】
前記カートリッジアース接点は、前記突起の軸線と同軸線上に位置している請求項２８に記載の電子写真感光体ドラム。
【請求項３３】
前記突起は、前記電子写真感光体ドラムの一端に取り付けられたカップリング部材の一側端に設けられている請求項３２に記載の電子写真感光体ドラム。
【請求項３４】
前記カップリング部材は、カートリッジフレームに回転可能に支持される軸部と、現像ローラへ回転駆動力を伝達するためのギア部と、前記電子写真感光体ドラムと嵌合する嵌合部と、を有する、ここで前記突起は前記軸部の側端に設けられている、また、前記カートリッジアース接点は、前記カップリング部材の軸線と同軸線上に位置しており、前記カップリング部材の内部を軸線方向に沿って通過している導電部材の先端面である請求項３３に記載の電子写真感光体ドラム。
【請求項３５】
前記カップリング部材の前記電子写真感光体ドラムの内側に位置する部分にはアース板が取り付けられている、ここで前記アース板は前記導電部材が貫通するための穴と、前記導電部材と接触する第一の接触部と、前記電子写真感光体ドラムの有する筒の内面と接触する第二の接触部と、を有する請求項３４に記載の電子写真感光体ドラム。
【請求項３６】
前記突起はねじれた多角柱である請求項３１または３５に記載の電子写真感光体ドラム。
【請求項３７】
前記多角柱は略三角柱である請求項３６に記載の電子写真感光体ドラム。
【請求項３８】
記録媒体に画像を形成する電子写真画像形成装置本体に取り外し可能に装着するプロセスカートリッジに有する電子写真感光体ドラム及び電子写真感光体ドラム上に形成された潜像を現像するための現像ローラへ動力を伝えるカップリングであって、
前記装置本体は
モータと、
モータから駆動力を受ける装置本体ギアと、
前記ギアの中心に一体に設けたねじれた多角形断面の穴とを有し、
前記カップリングは
前記プロセスカートリッジが装置本体に装着された際、前記装置本体から前記現像ローラへ駆動力を伝達するためのドラムギアと、
前記ドラムギアの中心に一体的に取り付けた軸と、
前記穴と嵌合して装置本体から駆動力を受けた際、駆動力が前記軸を通じて電子写真感光体ドラムに伝えられると共に前記ギアを介して現像ローラに伝えられる前記軸の端部に取り付けられたねじれた突起と、
前記電子写真感光体ドラムのアースを行うために、前記電子写真感光体ドラムと電気的に接続されたカートリッジアース接点であって、本体アース接点と電気的に接続するように前記突起に設けられたカートリッジアース接点と、
を有することを特徴とするカップリング。
【請求項３９】
前記突起は三角柱であって、前記電子写真感光体ドラムの外径をＨ、前記軸の外径をＦ、前記突起の外接円をＭとすると、
Ｈ  ＞  Ｆ  ≧  Ｍ
である請求項３８に記載のカップリング。
【請求項４０】
前記ギアははすばギアであって、前記突起、ギア、軸は樹脂材料で作られている請求項３８に記載のカップリング。
【請求項４１】
前記カートリッジアース接点は、前記突起の先端面よりも内側に位置している請求項３８に記載のカップリング。
【請求項４２】
前記カートリッジアース接点は、前記突起の軸線と同軸線上に位置している請求項３８に記載のカップリング。
【請求項４３】
前記突起は、前記電子写真感光体ドラムの一端に取り付けられたカップリング部材の一側端に設けられている請求項４２に記載のカップリング。
【請求項４４】
前記カップリング部材は、カートリッジフレームに回転可能に支持される軸部と、現像ローラへ回転駆動力を伝達するためのギア部と、前記電子写真感光体ドラムと嵌合する嵌合部と、を有する、ここで前記突起は前記軸部の側端に設けられている、また前記カートリッジアース接点は、前記カップリング部材の軸線と同軸線上に位置しており、前記カップリング部材の内部を軸線方向に沿って通過している導電部材の先端面である請求項４３に記載のカップリング。
【請求項４５】
前記突起はねじれた多角柱である請求項３８に記載のカップリング。
【請求項４６】
前記多角柱は略三角柱である請求項４５に記載のカップリング。
【手続補正２】
【補正対象書類名】明細書
【補正対象項目名】００１１
【補正方法】変更
【補正の内容】
【００１１】
本出願に係る第９の発明はモータと、前記モータにより回転駆動される装置本体側ギアであって、その回転中心軸線上にねじれた表面によって郭された連結穴とこの連結穴の内部に設けられたアース接点とを有する装置本体側ギアを備えた電子写真画像形成装置本体に着脱可能なプロセスカートリッジであって、
（ａ）電子写真感光体ドラムと、
（ｂ）前記電子写真感光体ドラムに作用するプロセス手段と、
（ｃ）前記電子写真感光体ドラムの長手方向の端部に設けられ、ねじれた表面を有するねじれた連結突起であって、前記連結穴に嵌合されて前記ギアと係合する連結突起と、
（ｄ）前記電子写真感光体ドラムの一端に取り付けられたカップリング部品と、ここで前記カップリング部材は、カートリッジフレームに回転可能に支持される軸部と、現像ローラへ回転駆動力を伝達するためのギア部と、前記電子写真感光体ドラムと嵌合する嵌合部と、を有する、そして前記突起は前記軸部の側端に設けられている、
（ｅ）前記カップリング部材の軸線と同軸線上に位置しており、前記カップリング部材の内部を軸線方向に沿って通過している導電部材と、
（ｆ）前記カップリング部材の前記電子写真感光体ドラムの内側に位置する部分に取り付けられているアース部材と、ここで前記アース部材は前記導電部材が貫通するための穴と、前記導電部材と接触する第一の接触部と、前記電子写真感光体ドラムの有する筒の内面と接触する第二の接触部と、を有する
（ｇ）プロセスカートリッジが装置本体に装着された際に前記電子写真感光体ドラムのアースを行うために、前記電子写真感光体ドラムと電気的に接続されたカートリッジアース接点であって、前記本体アース接点と電気的に接続するように前記突起に設けられたカートリッジアース接点と、ここで前記カートリッジアース接点は前記導電部材の先端面であって、前記突起の先端面よりも内側に位置しいることを特徴とするプロセスカートリッジである。


【手続補正３】
【補正対象書類名】明細書
【補正対象項目名】００１２
【補正方法】変更
【補正の内容】
【００１２】
本出願に係る第１３の発明はモータと、前記モータからの駆動力を受けるための駆動回転体と、前記駆動回転体の回転中心軸と略同軸のねじれた非円形断面の穴または突起と、前記穴または突起に設けられた本体アース接点とを有して、記録媒体に画像を形成する電子写真画像形成装置の装置本体に着脱可能なプロセスカートリッジであって、回転可能な電子写真感光体と、前記電子写真感光体に作用するプロセ手段と、前記電子写真感光体の長手方向一端にその回転中心軸と同軸に設けられた、前記非円形の穴または突起と嵌合可能なねじれた非円形断面の突起または穴と、を有して、前記電子写真感光体ドラムの突起または穴は、前記駆動回転体と相対回転可能な第一の回転方向相対位置と、前記両回転中心軸から略同軸状態で一方向の相対回転不能な第二の回転方向相対位置をとり得る形状及び寸法を有し、プロセスカートリッジが装置本体に装着された際に前記電子写真感光体ドラムのアースを行うために、電子写真感光体ドラムと電気的に接続されたカートリッジアース接点であって、前記本体アース接点と電気的に接続するように前記突起または穴に設けられてカートリッジアース接点とを有することを特徴とするプロセスカートリッジである


【手続補正４】
【補正対象書類名】明細書
【補正対象項目名】００１３
【補正方法】変更
【補正の内容】
【００１３】
本出願に係る第２１の発明はプロセスカートリッジを着脱可能で、記録媒体に画像を形成するための電子写真画像形成装置において、
（ａ）モータと、
（ｂ）前記モータから駆動力を受ける装置本体側のギアと、
（ｃ）前記ギアとほぼ同軸心であって、ねじれた表面によって郭された穴と、
（ｄ）前記穴の内部に設けられた本体アース接点と、
（ｅ）電子写真感光体ドラムと、前記電子写真感光体ドラムに作用するプロセス手段と、前記電子写真感光体ドラムの長手方向の端部に設けられ、ねじれた表面を有する連結突起であって、前記連結穴に嵌合されて前記ギアと係合する連結突起と、プロセスカートリッジが装置本体に装着された際に前記電子写真感光体ドラムのアースを行うために、前記電子写真感光体ドラムと電気的に接続されたカートリッジアース接点であって、前記本体アース接点と電気的に接続するように前記連結突起に設けられたカートリッジアース接点と、を有するプロセスカートリッジを取り外し可能に装着するための装着部材と、を有することを特徴とする電子写真画像形成装置である。


【手続補正５】
【補正対象書類名】明細書
【補正対象項目名】００１４
【補正方法】変更
【補正の内容】
【００１４】
本出願に係る第２２の発明はプロセスカートリッジを着脱可能で、記録媒体に画像を形するための電子写真画像形成装置において、
（ａ）モータと、
（ｂ）前記モータから駆動力を受ける装置本体側のギアと、
（ｃ）前記ギアとほぼ同軸心であって、ねじれた表面によって郭された穴と、
（ｄ）前記穴の内部に設けられた本体アース接点と、
（ｅ−１）電子写真感光体ドラムと、
（ｅ−２）前記電子写真感光体ドラムに作用するプロセス手段と、
（ｅ−３）前記電子写真感光体ドラムの長手方向の端部に設けられ、ねじれた表面を有するねじれた連結突起であって、前記連結穴に嵌合されて前記ギアと係合する連結突起と、
（ｅ−４）前記電子写真感光体ドラムの一端に取り付けられたカップリング部材と、ここで前記カップリング部材は、カートリッジフレームに回転可能に支持される軸部と、現像ローラへ回転駆動力を伝達するためのギア部と、前記電子写真感光体ドラムと嵌合する嵌合部と、を有する、そして前記突起は前記軸部の側端に設けられている、
（ｅ−５）前記カップリング部材の軸線と同軸線上に位置しており、前記カップリング部材の内部を軸線方向に沿って通過している導電部材と、
（ｅ−６）前記カップリング部材の前記電子写真感光体ドラムの内側に位置する部分に取り付けられているアース接点と、ここで前記アース接点は前記導電部材が貫通するための穴と、前記導電部材と接触する第一の接触部材と、前記電子写真感光体ドラムの有する筒の内面と接触する第二の接触部と、を有する
（ｅ−７）プロセスカートリッジが装置本体に装着された際に前記電子写真感光体ドラムのアースを行うために、前記電子写真感光体ドラムと電気的に接続されたカートリッジアース接点であって、前記本体アース接点と電気的に接続するように前記突起に設けられたカートリッジアース接点と、ここで前記カートリッジアース接点は前記導電部材の先端面であって、前記突起の先端面よりも内側に位置しているプロセスカートリッジてある。


【手続補正６】
【補正対象書類名】明細書
【補正対象項目名】００１５
【補正方法】変更
【補正の内容】
【００１５】
本出願に係る第２３の発明はモータと、前記モータにより回転駆動される装置本体側ギアであって、その回転中心軸線上にねじれた表面によって郭された連結穴とこの連結穴の内部に設けられたアース接点とを有する装置本体側ギアを備えた電子写真画像形成装置本体に着脱可能なプロセスカートリッジであって、電子写真感光体ドラムと、前記電子写真感光体ドラムに作用するプロセス手段と、前記電子写真感光体ドラムの長手方向の端部に設けられ、ねじれた表面を有する連結突起であって、前記連結穴に嵌合されて前記ギアと係合する連結突起と、を有し、ここで前記突起は、プロセスカートリッジが装置本体に装着された際に前記電子写真感光体ドラムのアースを行うために、前記電子写真感光体ドラムと電気的に接続するように、また、前記本体アース接点と電気的に接続するように導電性材質で形成されている電子写真画像形成装置である。


【手続補正７】
【補正対象書類名】明細書
【補正対象項目名】００１６
【補正方法】変更
【補正の内容】
【００１６】
本出願に係る第２４の発明はモータと、前記モータにより回転駆動される装置本体側ギアであって、その回転中心軸線上にねじれた表面によって郭された連結穴とこの連結穴の内部に設けられたアース接点とを有する装置本体側ギアを備えた電子写真画像形成装置本体に着脱可能なプロセスカートリッジであって、電子写真感光体ドラムと、前記電子写真感光体ドラムに作用するプロセス手段と、前記電子写真感光体ドラムの長手方向の端部に設けられ、ねじれた表面を有するねじれた連結突起であって、前記連結穴に嵌合されて前記ギアと係合する連結突起と、を有し、ここで前記突起は、プロセスカートリッジが装置本体に装着された際に、前記電子写真感光体ドラムのアースを行うために、前記電子写真感光体ドラムと電気的に接続にするように、また、前記本体アース接点と電気的に接続するように導電性材質で形成されている電子写真画像形成装置である。


【手続補正８】
【補正対象書類名】明細書
【補正対象項目名】００１７
【補正方法】変更
【補正の内容】
【００１７】
本出願に係る第２８の発明は電子写真感光体ドラムと前記電子写真感光体ドラムに作用するプロセス手段とを有するプロセスカートリッジであって、電子写真画像形成装置本体に着脱可能なプロセスカートリッジに用いられる電子写真感光体ドラムにおいて、ここで電子写真画像形成装置は記録媒体に画像を形成するものであって、モータと、前記モータから回転力を受ける装置本体側ギアと、前記ギアのほぼ中心に形成されたねじれた多角形断面の穴とを有する、周面に感光層を有する円筒部材と、前記円筒部材の長手方向の一端側前記に設けられた動力伝達部材と、を有し、前記動力伝達部材は、プロセスカートリッジが装置本体へ装着された際、装置本体から現像ローラへ駆動力を伝えるためのドラムギアと、前記ドラムギアの端部に一体に設けられて突出する軸と、前記軸端に設けられたねじれた突起と、を有し、前記穴と突起が嵌合することによって装置本体から駆動力が前記突起に伝えられて軸を介して電子写真感光体ドラムに伝えられ、前記ドラムギアによって現像ローラが駆動される、前記電子写真感光体ドラムのアースを行うために、前記電子写真感光体ドラムと電気的に接続されたカートリッジアース接点であって、本体アース接点と電気的に接続するように前記突起に設けられたカートリッジアース接点と、を有する電子写真感光体ドラムである。


【手続補正９】
【補正対象書類名】明細書
【補正対象項目名】００１８
【補正方法】変更
【補正の内容】
【００１８】
本出願に係る第３８の発明は記録媒体に画像を形成する電子写真画像形成装置本体に取り外し可能に装着するプロセスカートリッジに有する電子写真感光体ドラム及び電子写真感光体ドラム上に形成された潜像を現像するための現像ローラに動力を伝えるカップリングであって、前記装置本体はモータと、モータから駆動力を受ける装置本体ギアと、前記ギアの中心に一体に設けたねじれた多角形断面の穴とを有し、前記カップリングは前記プロセスカートリッジが装置本体に装着された際、前記装置本体から前記現像ローラへ駆動力を伝達するためのドラムギアと、前記ドラムギアの中心に一体的に取り付けた軸と、前記穴と嵌合して装置本体から駆動力を受けた際、駆動力が前記軸を通じて電子写真感光体ドラムに伝えられると共に前記ギアを介して現像ローラに伝えられる前記軸の端部に取り付けられたねじれた突起と、前記電子写真感光体ドラムのアースを行うために、前記電子写真感光体ドラムと電気的に接続されてカートリッジアース接点であって、本体アース接点と電気的に接続するように前記突起に設けられたカートリッジアース接点と、を有することを特徴とするカップリングである。


【手続補正１０】
【補正対象書類名】明細書
【補正対象項目名】０１２９
【補正方法】変更
【補正の内容】
【０１２９】
さて、図１１に示すように、プロセスカートリッジＢに取り付けられた感光体ドラム７の長手方向一方端部にはカートリッジ側カップリング手段が設けてある。このカップリング手段は、感光体ドラム７の一方端部に固着したカップリング部材であるドラムフランジ３６にカップリング凸軸３７（円柱形状の軸部）を設けたものであり、前記凸軸３７の先端面に凸部（連結突起）３７ａが形成してある。なお、凸部３７ａの端面は凸軸３７の端面と平行である。また、この凸軸３７は軸受３８に嵌合して、ドラム回転軸として機能する。そして、本実施の形態では、ドラムフランジ３６とカップリング凸軸３７及び凸部３７ａは一体に設けてある。そして、ドラムフランジ３６にはプロセスカートリッジＢ内部の現像ローラ９ｃに駆動力を伝達するため、ギア部としてはす歯のドラムギア７ｂが一体に設けてある。従って、図１１に示す通り、前記ドラムフランジ３６は嵌合部３６ｂ、ドラムギア７ｂ、凸軸３７及び凸部３７ａを有する一体成型品であって、駆動力を伝達する機能を有する動力伝達部材である。


【手続補正１１】
【補正対象書類名】明細書
【補正対象項目名】０１３０
【補正方法】変更
【補正の内容】
【０１３０】
そして、前記凸部３７ａの形状は、ねじれた多角柱であって、詳しくは断面がほぼ正三角の柱で軸方向に次第に回転方向にわずかにねじれた形状である。また、前記凸部３７ａと嵌合する凹部（連結穴）３９ａは、断面が多角形で軸方向に次第に回転方向にわずかにねじれた穴である。この凸部３７ａと凹部３９ａはねじれのピッチがほぼ同一であり、同一方向にねじれている。なお、前記凹部３９ａは、断面が略三角形である。そして、この凹部３９ａは、装置本体１４に設けられたギア４３と一体のカップリング凹軸３９ｂに設けられている。このカップリング凹軸３９ｂは装置本体１４に後述のように回転自在及び軸方向移動自在に設けられている。そこで、本実施の形態の構成においては、プロセスカートリッジＢが装置本体１４に装着されて、凸部３７ａと装置本体１４に設けられた凹部３９ａとが嵌合して、凹部３９ａの回転力が凸部３７ａに伝達される際に、略正三角柱の凸部３７ａの各稜線と凹部３９ａの内面とが等しく当接するため互いに軸芯が合致する。このため、カップリング凸部３７ａの外接円の直径はカップリング凹部３９ａの内接円よりも大きく、且つ、カップリング凹部３９ａの外接円よりも小さく製作されている。更に、そのねじれ形状によって凹部３９ａが凸部３７ａを引き寄せる方向に力が作用して、凸部端面３７ａ１が凹部３９ａの底３９ａ１と当接する。そこで、このカップリング部とドラムギア７ｂに生ずるスラストは矢印ｄ方向の同方向に働くから、前記凸部３７ａと一体的となっている感光体ドラム７は、画像形成装置本体１４内で軸方向の位置及びラジアル方向の位置が安定して決まる。


【手続補正１２】
【補正対象書類名】明細書
【補正対象項目名】０１４０
【補正方法】変更
【補正の内容】
【０１４０】
一方、画像形成装置本体１４には、本体カップリング手段が設けてある。この本体カップリング手段は、プロセスカートリッジＢを挿入したときの感光体ドラム回転軸線と一致する位置にカップリング凹軸３９ｂ（円柱形状）が配設してある（図１１、図２５参照）。このカップリング凹軸３９ｂは図１１に示すように、モータ６１の駆動力を感光体ドラム７へと伝える駆動回転体である大ギア４３と一体になった駆動軸である。（そして、この凹軸３９ｂは、大ギア４３の回転中心であって、大ギア４３の側端から突出して設けられている（図２５、図２６参照））。本実施の形態では、前記大ギア４３とカップリング凹軸３９ｂは、一体成型で形成してある。


【手続補正１３】
【補正対象書類名】明細書
【補正対象項目名】０１４７
【補正方法】変更
【補正の内容】
【０１４７】
逆に開閉部材３５を閉じると、開閉部材３５とリンク６５を結合しているピン６５ａは支点３５ａを中心に回転して下り、リンク６５は下方へ移動してアーム６３ａを押し下げ、外カム６３が逆に回転し、ばね６８に押されることにより、図２９から大ギア４３が左行して図２８の位置に到達し大ギア４３が再び図２８の位置にセットされカップリング凹部３９ａがカップリング凸部３７ａに嵌合し、駆動伝達可能な状態に戻る。このような構成をとることにより、プロセスカートリッジＢを開閉部材３５の開閉に応じて着脱および駆動可能な状態にすることが可能になる。尚、開閉部材３５を閉じることによって外カム６３が逆に回転し大ギア４３が図２９から左行して、カップリング凹軸３９ｂとカップリング凸軸３７の端面が当たってカップリング凸部３７ａとカップリング凹部３９ａが噛合わなくて（第一の回転方向相対位置）も後述のように画像形成装置Ａの始動後すぐ噛合う（相対回転不能な第二の回転方向位置）。


【手続補正１４】
【補正対象書類名】明細書
【補正対象項目名】０１９８
【補正方法】変更
【補正の内容】
【０１９８】
また、ドラム筒（円筒部材）７ｄの他端側に嵌入固定されているドラムフランジ３６の中心穴をとおり、軸方向に移動自在に導電性の部材１１９が嵌入している。この導電性部材１１９は金属製の棒状である。そしてその一方端はドラムフランジ３６の内側端面３６ｃに接するよう設けたアース部材であるアース板１１８の穴に嵌入してかしめ１１９ａにより固定されている（第一の接触部）。このアース板１１８は端部に突起１１８ａを有し、この突起１１８ａは先端がやや駆動側を向いていてドラム筒７ｄの内面７ｄ１に弾力でくい込んでいる（第二の接触部）。尚、アース板１１８は金属製であって、弾性力を有している。そこで前記導電性部材１１９は、前記アース板１１８の弾性力によってその長手方向に移動自在である。